(57)【要約】 【課題】  バッテリーポストの接続の際の締付トルクのロスを低減する。【解決手段】  バッテリーターミナル１０は、バッテリーポストＰを取り囲むように回曲する弧状の電極保持部１１と、電極保持部１１の外周面に形成された係合部１５と、係合部１５と摺接可能な斜面部３５を有する締付部３４とを備えている。締付部３４をバッテリーポストＰの軸方向と略平行に押動すると、斜面部３５に沿って係合部１５を相対的に変位させ、この変位動作に伴って電極保持部１１を縮径変形させ、バッテリーポストＰに対し接続状態となる。締付部３４の押動時に締付部３４が係合部１５から受ける反力の方向と対向する位置に、締付部３４が軸方向に対し傾くのを規制する受け部２０を設けるので、バッテリーポストＰの接続の際の締付トルクのロスを低減できる。【選択図】  図９
2006310037.tif 000002
【特許請求の範囲】
【請求項１】
バッテリーポストを取り囲むように回曲する弧状の電極保持部と、
前記電極保持部の外周面に形成された係合部と、
前記係合部に摺接可能な斜面部を有する締付部とを備え、
前記締付部を前記バッテリーポストの軸方向と略平行に押動することにより、前記斜面部に沿って前記係合部を相対的に変位させ、この変位動作に伴って前記電極保持部を縮径変形させるものであって、
前記締付部の押動時に前記締付部が前記係合部から受ける反力の方向と対向する位置に、前記締付部が前記バッテリーポストの軸方向に対し傾くのを規制する受け部が配設されていることを特徴とするバッテリーターミナル。
【請求項２】
前記受け部は、前記締付部のうちの前記斜面部と反対側の面に対して摺接可能な部分を含んで設けられていることを特徴とする請求項１に記載のバッテリーターミナル。
【請求項３】
前記締付部のうちの前記斜面部と反対側の面が傾斜面部となっており、この傾斜面部と前記受け部側との摺接動作により前記締付部が前記係合部を押しやって前記電極保持部をさらに縮径変形させることを特徴とする請求項２に記載のバッテリーターミナル。
【請求項４】
前記締付部は板状をなし、前記バッテリーポストの軸方向と略平行に延出して形成され、前記締付部には同締付部の延出方向と略直交する方向に延出する板状の被押圧部が連なって形成されており、この被押圧部が固定部材によって押し込まれることで前記締付部の押動動作が可能となっていることを特徴とする請求項１ないし３のいずれかに記載のバッテリーターミナル。
【請求項５】
前記被押圧部の幅方向両側端から前記バッテリーポストの軸方向と略平行に突出する一対のガイド部が設けられ、前記受け部の全体は前記電極保持部に連結されて前記被押圧部と対向して配されており、この受け部の一部に、前記一対のガイド部と摺接可能な一対のガイド受け部が設けられたことを特徴とする請求項４に記載のバッテリーターミナル。
【発明の詳細な説明】
【技術分野】
【０００１】
本発明は、バッテリーターミナルに関する。
【背景技術】
【０００２】
自動車のバッテリーの側方には多くの機器や部品が配されており、バッテリーターミナルをバッテリーポストに接続するに際し、締め付け作業のスペースを十分に確保し難いという事情がある。
そこで、上方の広いスペースを利用して締め付け作業が可能となるように、いわゆる縦締め式のバッテリーターミナルが提案されている。
例えば、特許文献１に記載のものは、バッテリーポストを取り囲むように回曲する弧状の電極保持部と、電極保持部から側方に延設される板状の係合部と、係合部と摺接可能な斜面部を有する板状の締付部材とを備えている。
【０００３】
バッテリーターミナルの組み付け時には、係合部に対して上方からボルトを締め付けて、締付部材の斜面部と係合部とを摺動させる。すると、ボルトの締め付けに伴う水平分力によって、係合部が電極保持部側に移動し、これによりバッテリーポストが締め付けられる。
【特許文献１】特開平１１−２６０５４号公報
【発明の開示】
【発明が解決しようとする課題】
【０００４】
ところで、締付部材と係合部との係合深さが増すに従って、締付部材が係合部に押しやられ、その反力によって締付部材が撓み変形する懸念がある。その結果、締付部材の姿勢が不安定となり、締付トルクのロスが大きくなるおそれがある。
本発明は上記のような事情に基づいて完成されたものであって、締付トルクのロスを低減することを目的とする。
【課題を解決するための手段】
【０００５】
上記の目的を達成するための手段として、請求項１の発明は、バッテリーポストを取り囲むように回曲する弧状の電極保持部と、前記電極保持部の外周面に形成された係合部と、前記係合部に摺接可能な斜面部を有する締付部とを備え、前記締付部を前記バッテリーポストの軸方向と略平行に押動することにより、前記斜面部に沿って前記係合部を相対的に変位させ、この変位動作に伴って前記電極保持部を縮径変形させるものであって、前記締付部の押動時に前記締付部が前記係合部から受ける反力の方向と対向する位置に、前記締付部が前記バッテリーポストの軸方向に対し傾くのを規制する受け部が配設されている構成としたところに特徴を有する。
【０００６】
請求項２の発明は、請求項１に記載のものにおいて、前記受け部は、前記締付部のうちの前記斜面部と反対側の面に対して摺接可能な部分を含んで設けられているところに特徴を有する。
【０００７】
請求項３の発明は、請求項２に記載のものにおいて、前記締付部のうちの前記斜面部と反対側の面が傾斜面部となっており、この傾斜面部と前記受け部側との摺接動作によって前記締付部が前記係合部を押しやって前記電極保持部をさらに縮径変形させるところに特徴を有する。
【０００８】
請求項４の発明は、請求項１ないし請求項３のいずれかに記載のものにおいて、前記締付部は板状をなし、前記バッテリーポストの軸方向と略平行に延出して形成され、前記締付部には同締付部の延出方向と略直交する方向に延出する板状の被押圧部が連なって形成されており、この被押圧部が固定部材によって押し込まれることで前記締付部の押動動作が可能となっているところに特徴を有する。
【０００９】
請求項５の発明は、請求項４に記載のものにおいて、前記被押圧部の幅方向両側端から前記バッテリーポストの軸方向と略平行に突出する一対のガイド部が設けられ、前記受け部の全体は前記電極保持部に連結されて前記被押圧部と対向して配されており、この受け部の一部に、前記一対のガイド部と摺接可能な一対のガイド受け部が設けられたところに特徴を有する。
【発明の効果】
【００１０】
＜請求項１の発明＞
締付部をバッテリーポストの軸方向と略平行に押動することにより、斜面部に沿って係合部を相対的に変位させ、この変位動作に伴って電極保持部を縮径変形させる。この場合に、締付部の押動時に締付部が係合部から受ける反力の方向と対向する位置に、受け部が配設されているから、締付部が軸方向に対し傾くのを防止でき、締付トルクのロスを低減できる。
【００１１】
＜請求項２の発明＞
受け部は、締付部のうちの斜面部と反対側の面に対して摺接可能な部分を含んで設けられているから、係合部に押しやられる締付部を直接的に受け止めて、締付部が倒れるのを防止する。
【００１２】
＜請求項３の発明＞
締付部のうちの斜面部と反対側の面が傾斜面部となっており、この傾斜面部と受け部側との摺接動作によって締付部が係合部を押しやって電極保持部をさらに縮径変形させるから、締付部をさほど押動しなくても係合部を電極保持部の縮径方向に大きく変位させることができ、十分な締付力を得ることができる。
【００１３】
＜請求項４の発明＞
締付部に被押圧部が連設されており、この被押圧部が固定部材によって押し込まれることで締付部の押動動作が可能となっているから、バッテリーターミナルの構造を簡易化できる。
【００１４】
＜請求項５の発明＞
固定部材によって被押圧部を押し込むと、ガイド部がガイド受け部に摺接可能となっているから締付部の押動姿勢が安定する。
【発明を実施するための最良の形態】
【００１５】
＜実施形態１＞
本発明の実施形態１を図１ないし図１０によって説明する。
本実施形態のバッテリーターミナル１０は導電性の金属板材によって形成され、図１に示すように、バッテリーポストＰに取り付けられる電極保持部１１と、電極保持部１１の後方に位置する電線との接続部１４と、電極保持部１１の前方に位置する受け部２０と、受け部２０に被さる摺動部材３０とを備える。電極保持部１１と接続部１４とは一体的に成形され、摺動部材３０はこれらとは別部品として構成される。
【００１６】
バッテリーポストＰは、自動車等に搭載されるバッテリーに突設された電極であって、主に鉛を素材として上端側へ向けて次第に径の小さくなったテーパ状の円柱形に形成されている。
【００１７】
接続部１４は、前後方向に開口する角筒形状をなし、接続部１４内には接続用ボルト１４Ａの頭部が回転規制状態で収容されているとともに、接続用ボルト１４Ａの軸部が接続部１４の上面板１４Ｃのボルト孔１４Ｂを貫通して上方へ突出している。この接続用ボルト１４Ａには図示しない電線がナット締めにより接続されるようになっている。この接続部１４の下面板１４Ｅは、前方に延出されて電極保持部１１につながっている。
【００１８】
電極保持部１１は、図２に示すように、バッテリーポストＰの外周面に沿いつつ先端に向かって先細りの円筒形状をなし、受け部２０等が配設される前側には上下方向の全域に亘ってスリット状の開口部１２が形成されている。また、電極保持部１１の基端部１３の一部は、開口部１２の自由端１１Ａから周方向に所定長さ切欠され、後述する受け部２０の逃がしとなっている。
【００１９】
電極保持部１１の自由端１１Ａにおける基端部１３寄りの外周面には、その周方向に沿って接続されつつ前方へ突出する係合部１５が設けられている。
係合部１５は、図６に示すように、略方形板状をなし、その略中央部に長円形の係合孔１６を有して構成されている。この係合孔１６の孔縁の一端は後述する摺動部材３０に形成された締付部３４の斜面部と摺接可能となっている。係合部１５は、この摺接動作によって斜面部３５に沿って相対的に変位し、電極保持部１１を縮径変形させるようになっている。
【００２０】
電極保持部１１の自由端１１Ａとは反対側の他端１１Ｂには、図２に示すように、電極保持部１１と同じ高さ寸法をもって前方へ延出する方形板状の第一側壁２１が連成されている。この第一側壁２１の下端には側方へ延出する方形板状の底壁２３が連成され、さらに、底壁２３の延出端には第一側壁２１と対向する方形板状の第二側壁２２が連成されている。第一側壁２１と第二側壁２２と底壁２３とによって全体として略コの字状をなす受け部２０が構成される。
【００２１】
第一側壁２１および第二側壁２２（本発明のガイド受け部２９に相当する）は、被押圧部３１（後述する）の両端に設けられた一対のガイド部３３と摺接可能となっている。
【００２２】
第二側壁２２は、第一側壁２１よりも前後方向に短い形態をなし、底壁２３の前半部に連設されている。第一側壁２１と対向する位置で、かつ第二側壁２２と隣接する位置には摺動部材３０の締付位置を側方から視認可能な検知凹部２４が開放されている。
【００２３】
底壁２３の前半部の幅方向略中央部には、図６に示すように、ボルト挿通孔２５が設けられている。ボルト挿通孔２５には、ボルト２６（本発明における固定部材）の軸部２６Ｂがその下方から上方へ挿通可能となっている。底壁２３の下面のうちボルト挿通孔２５の孔周りには、ボルト２６の頭部２６Ａが固着されている。
【００２４】
底壁２３の後半部の幅方向中央部には、略Ｄの字状に開口する位置決め孔２８が設けられている。位置決め孔２８の孔壁２８Ａは、検知凹部２４側（他端側）に半円弧状をなし、締付部３４の先端部３７を遊嵌可能な大きさをもって構成されている。
【００２５】
摺動部材３０は、図３に示すように、略水平に配された方形板状の被押圧部３１と、被押圧部３１の幅方向両側端から下方へ向けて略平行に突出する方形板状の一対のガイド部３３と、被押圧部３１の後端から下方へ向けて突出する板状の締付部３４とからなる。被押圧部３１と一対のガイド部３３とは、全体として略コの字状をなしている。また摺動部材３０が第一側壁２１および第二側壁２２に被さることで、両者が摺動可能となっている。
【００２６】
被押圧部３１の幅方向中央部には、摺動部材３０を受け部２０に組み付けたときに、底壁２３のボルト挿通孔２５から突出しているボルト２６の軸部２６Ｂを上方に挿通可能な円形のボルト通し孔３２が設けられている。ボルト通し孔３２から突出するボルト２６の軸部２６Ｂにはナット２７が螺着され、このナット２７が被押圧部３１の上面に着座される。ナット２７のねじ込み操作によってこの摺動部材３０が摺動可能となっている。
【００２７】
締付部３４は、図８に示すように、等脚台形状をなし、その上辺が被押圧部３１の幅方向略中央に連結されている。締付部３４の両側端面（板厚面）は下方へ行くに従って互いに近づく形態とされ、互いに対称に配されている。このうち一方面は（図８に示す右側面）は係合部１５における係合孔１６の孔壁１６Ａの一端と摺接可能な斜面部３５とされ、他方面（図８に示す左側面）は受け部２０における位置決め孔２８の孔壁２８Ａの他端と摺接可能な傾斜面部３６とされる。
【００２８】
次に本実施形態の作用について説明する。まず、摺動部材３０の被押圧部３１のボルト通し孔３２に受け部２０の底壁２３から突出しているボルト２６の軸部２６Ｂを挿通させる。そして、図３に示すように、締付部３４の先端部３７を係合部１５の係合孔１６、受け部２０の位置決め孔２８の順に挿通させる。ボルト２６の先端部２６Ｃにナット２７を緩くねじ込み、バッテリーポストＰに対する組み付け現場に移送する。
【００２９】
組み付け現場においては、バッテリーポストＰに電極保持部１１を上方から被せつける。このときバッテリーポストＰは、図６に示すように、ある程度のクリアランスをもって電極保持部１１に取り囲まれるように挿通されている。また、締付部３４の斜面部３５は係合部１５の係合孔１６の孔壁１６Ａの一端側と接しており、締付部３４の傾斜面部３６は位置決め孔２８の孔壁２８Ａの他端側に接している。
【００３０】
次いで、ボルト２６に対しナット２７を深くねじ込むようにする。すると、ナット２７の座面が被押圧部３１の上面を下方（本発明におけるバッテリーポストＰの軸方向と略平行）に押圧し、ガイド部３３の内側面３３Ａがガイド受け部２９の外側面２９Ａに摺動させられる。これに伴い、斜面部３５は係合孔１６の孔壁１６Ａの一端側と摺接し、傾斜面部３６は位置決め孔２８の孔壁２８Ａの他端側と摺接する。斜面部３５と係合孔１６の孔壁１６Ａの一端との摺接動作により、係合部１５は、図８に示す右方に変位させられる。
【００３１】
係合部１５の変位動作に伴い電極保持部１１は縮径変形させられ、バッテリーポストＰが締め付けられる。さらにねじ締めを行うことにより、被押圧部３１の下面とガイド受け部２９の上端部が当接し（図１０参照）、バッテリーポストＰのそれ以上の締め付け動作が規制され締め付け操作が完了する。
【００３２】
ここで、斜面部３５と係合部１５の摺接動作により係合部１５が図８に示す右方に変位させられ、それに伴い締付部３４に対して係合部１５から矢印Ｘ方向の反力が作用する。また、傾斜面部３６と位置決め孔２８の孔壁２８Ａの他端側との摺接動作により、係合部１５が図８に示す左方に少し変位する。
【００３３】
本実施形態によれば、矢印Ｘ方向の反力の方向と対向する位置に、位置決め孔２８の孔壁２８Ａの他端と第一側壁２１の外側面とが高さ位置を異にして配され、かかる反力を受け止める構造となっているから、締付部３４が傾くのを防止できる。その結果、締め付けトルクの低減を図ることができる。
【００３４】
また、位置決め孔２８の孔壁２８Ａの他端側と締付部３４の傾斜面部３６が摺接可能に配設されているから、係合部１５に押しやられる締付部３４を直接的に受け止め、締付部３４が倒れるのを防止することができる。
【００３５】
＜実施形態２＞
次に本発明の実施形態２を図１１ないし図１２によって説明する。実施形態２においては、締付部３４の形状が実施形態１と異なる。その他は、実施形態１と概ね同様であり、上記実施形態１と同様の構成部位については、同一符号を付して重複する記載は省略する。
【００３６】
実施形態２の締付部３４は、締付部３４の先端３７から図１１に示す左側面（傾斜面）に、垂直部３８と水平部３９とからなる略Ｌ字状の切欠部３８、３９が形成されている。
【００３７】
本実施形態２によれば、バッテリーターミナル１０をバッテリーポストＰに組み付ける作業中、底壁２３が定位置に保たれている。従って、実施形態１と異なり、底壁２３の変位に要する水平分力の分を節約できる。
また、締付部３４が下方へ過度に変位すると、水平部３９が位置決め孔２８の他端側の孔縁に掛け止めされるので、バッテリーポストＰの過度締め付けを防止できる。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
（１）本実施形態では係合孔または位置決め孔が全周に亘って閉止した形態となっていたが、係合孔または位置決め孔が一部開放した形態であってもよい。
【００４０】
（２）本発明によれば、締付部のうち斜面部と反対側の面に対して複数の受け部が摺接可能に配されていてもよい。
【図面の簡単な説明】
【００４１】
【図１】本実施形態１のバッテリーターミナルの平面図
【図２】摺動部材の組み付け前のバッテリーターミナルの斜視図
【図３】摺動部材の組み付け後のバッテリーターミナルの斜視図
【図４】図３とは異なる方向から見たバッテリーターミナルの斜視図
【図５】バッテリーターミナルの側面図
【図６】締め付け作業の開始前のバッテリーターミナルの横断面図
【図７】その側面図
【図８】図１のＡ−Ａ線断面図
【図９】締め付け作業の完了時のバッテリーターミナルの横断面図
【図１０】図８の状態から締め付け作業の完了に至ったバッテリーターミナルの断面図
【図１１】本実施形態２のバッテリーターミナルの図８に対応する断面図
【図１２】図１１の状態から締め付け作業の完了に至ったバッテリーターミナルの断面図
【符号の説明】
【００４２】
Ｐ…バッテリーポスト
１０…バッテリーターミナル
１１…電極保持部
１４…接続部
１５…係合部
１６…係合孔
１６Ａ…係合孔孔壁
２０…受け部
２１…第一側壁
２２…第二側壁
２３…底壁
２５…ボルト挿通孔
２８…位置決め孔
３３…ガイド部
３４…締付部
３５…斜面部
３６…傾斜面部
【図１】
2006310037.tif 000003
【図２】
2006310037.tif 000004
【図３】
2006310037.tif 000005
【図４】
2006310037.tif 000006
【図５】
2006310037.tif 000007
【図６】
2006310037.tif 000008
【図７】
2006310037.tif 000009
【図８】
2006310037.tif 000010
【図９】
2006310037.tif 000011
【図１０】
2006310037.tif 000012
【図１１】
2006310037.tif 000013
【図１２】
2006310037.tif 000014